(57)【要約】  本発明に関わる空気調和機Ｓは、室内機を備える空気調和機Ｓであって、室内機からの冷媒漏洩を検知する冷媒センサ５１と、使用者の視覚に訴える表示部５２ａと使用者の聴覚に訴える音発信部５２ｂとを有し、冷媒漏洩を報知する漏洩報知手段５２と、通常の空調運転時に前記空調運転の起動・停止操作を行う起動・停止スイッチ４３ａを有する操作リモコン４０Ａと、音発信部５２ｂによる報知を停止させるとともに、空気調和機Ｓの取扱説明書に記載されていない操作リモコン４０Ａの操作によって前記表示部５２ｂによる報知を停止するタッチパネル４５と、を備え、起動・停止スイッチ４３ａは、前記漏洩報知手段の動作中は前記空調運転の起動・停止機能が停止するとともに、音発信部５２ｂによる報知の前記報知停止手段として機能する。
2019150462.tif 000002
【特許請求の範囲】
【請求項１】
室内機からの冷媒漏洩を検知する漏洩検知手段と、
冷媒漏洩を報知する漏洩報知手段と、
該漏洩報知手段による報知を停止させる報知停止手段と、
を具備した漏洩警報装置
を備えることを特徴とする空気調和機。
【請求項２】
前記漏洩報知手段は、
使用者の視覚に訴える表示部と、
使用者の聴覚に訴える音発信部と、
を備え、
前記報知停止手段は、
音発信部による報知を停止する
ことを特徴とする請求項１に記載の空気調和機。
【請求項３】
前記報知停止手段は、
使用者には周知されない操作手順によって、前記漏洩報知手段を停止する
ことを特徴とする請求項１に記載の空気調和機。
【請求項４】
前記報知停止手段は、
通常の空調運転時における起動操作部であり、
該起動操作部は、
通常の空調運転時には、前記空気調和機の起動・停止を行い、
漏洩報知手段による冷媒漏洩報知中には、該空気調和機の起動・停止は行わずに、前記音発信部が発する報知を停止する
ことを特徴とする請求項２に記載の空気調和機。
【請求項５】
前記報知停止手段は、
具備するタッチパネルに表示されるアイコンである
ことを特徴とする請求項１に記載の空気調和機。
【請求項６】
前記漏洩報知手段は、
冷媒漏洩を報知しつつ、冷媒漏洩の報知を停止する方法を報知する
ことを特徴とする請求項１に記載の空気調和機。
【発明の詳細な説明】
【技術分野】
【０００１】
本発明は、警報手段を備えた空気調和機に関する。
【背景技術】
【０００２】
空気調和機では、何らかの理由で、室内機から冷媒が漏洩した際に、警報装置が警報音を発するなどして、空気調和機の使用者に冷媒漏洩を報知することが行われている。
たとえば、特許文献１では、単一の室外機から複数の室内機に冷媒が供給される複数の空気調和機のそれぞれに対して、冷媒の漏洩を検知する漏洩検知装置が設置されている。そして、各室内機、あるいは各リモコンに、冷媒の漏洩を検知したことを室内の使用者に報知する警報装置を設けることを提案している。
このような構成とすることで、冷媒漏洩を検知した場合、この冷媒漏洩を検知した部屋に限らず、別の部屋にいる使用者に対しても速やかに冷媒漏洩を報知することができる。
【先行技術文献】
【特許文献】
【０００３】
【特許文献１】特開２００７−５３５０９号公報
【発明の概要】
【発明が解決しようとする課題】
【０００４】
ところで、室内機から冷媒が漏洩した場合には、漏洩した冷媒の滞留によって、室内に冷媒濃度の高い領域が生じないように努めなければならない。このため、冷凍サイクルを停止して、漏れ出る冷媒の量を極力減らすとともに、送風運転を行い、室内に滞留する冷媒を拡散させることが求められる。
しかしながら、警報音が鳴り続ける等の警報が長時間継続した場合には、使用者は不快に感じて、警報を止めようとする。そしてこのとき、取扱説明書が手元にない等で、警報の止め方が不明な場合には、使用者が空気調和機の電源を切ったり、ブレーカーを切ったりすることで警報を止めてしまい、送風運転が一緒に止められてしまうおそれがあった。【０００５】
本発明は上記に鑑みてなされたものであり、冷媒漏洩時に、警報による使用者の不快感を軽減しつつ、漏洩した冷媒の拡散を継続することができる空気調和機を提供することを目的とする。
【課題を解決するための手段】
【０００６】
前記の目的を達成するために、本発明に係る空気調和機は、室内機からの冷媒漏洩を検知する漏洩検知手段と、冷媒漏洩を使用者に報知する漏洩報知手段と、該漏洩報知手段による報知を停止させる報知停止手段と、を備えることを特徴とする。
【発明の効果】
【０００７】
本発明によれば、冷媒漏洩時に、警報による使用者の不快感を軽減しつつ、漏洩した冷媒の拡散を継続することができる空気調和機を提供することができる。
【図面の簡単な説明】
【０００８】
【図１】第１実施形態の空気調和機の構成を表すブロック図である。
【図２】第１実施形態の空気調和機における冷凍サイクル系統図である。
【図３】空気調和機を構成する室内機の正面図である。
【図４】表示パネルに冷房運転時の運転内容を表示した操作リモコンの正面図である。
【図５】表示パネルに冷媒の漏洩を検知したことを表示した操作リモコンの正面図である。
【図６】表示パネルに修理窓口の連絡先を表示した操作リモコンの正面図である。
【図７】第２実施形態の空気調和機の構成を表すブロック図である。
【発明を実施するための形態】
【０００９】
＜第１実施形態＞
本発明の実施形態について、図面を参照して詳細に説明する。説明において、同一の要素には同一の符号を付し、重複する説明は省略する。
【００１０】
＜空気調和機の構成＞
本願発明の空気調和機Ｓの構成を表すブロック図を図１に示し、空気調和機Ｓを構成する冷凍サイクルＲＣを図２に示す。
空気調和機Ｓは、室外機１、室内機２、制御装置３０を備えている。
室外機１は、アキュムレータ５、圧縮機６、四方弁７、室外熱交換器８、室外膨張弁９、室外送風機１０を備えている。
室内機２は、室内熱交換器１２、室内送風機１３、および室内膨張弁１４を備えている。
制御装置３０は、操作リモコン４０、漏洩警報装置５０、および制御手段６０を備えている。
【００１１】
室外機１の各機器と、室内機２の各機器とは、冷媒配管３によって接続され、冷凍サイクルＲＣが形成されている（図２参照）。冷媒配管３には、熱媒体としての冷媒が封入されており、冷媒は、冷媒配管３を通じて、室外機１と室内機２との間を循環する。なお、冷凍サイクルＲＣの詳細については後述する。
制御装置３０は、室外機１の各機器、および室内機２の各機器と電気的に連係されており、室外機１と室内機２とを連動させつつ、制御を行う（図１参照）。
【００１２】
次に、室外機１を構成する各機器について説明する（図１、図２参照）。
アキュムレータ５は、過渡時の液戻りを貯留するために設けられており、圧縮機６に供給される気体の冷媒（ガス冷媒）に混在する液体の冷媒（液冷媒）を分離して、冷媒を適度な乾き度に調整する。
圧縮機６は、吸入したガス冷媒を圧縮して、吐出する。
四方弁７は、圧縮機６への冷媒の流れの向きは変えずに、室外機１と室内機２との間の冷媒の流れの向きを変える。そして、四方弁７が、冷媒の流れの向きを変えることで、冷房運転と暖房運転の切換えを行う。
室外熱交換器８は、冷媒と屋外の外気との間で熱交換を行う。
室外膨張弁９は、液冷媒を断熱膨張させて、気化させる絞り弁である。
室外送風機１０は、室外熱交換器８に対して、外気を供給する。
【００１３】
次に、室内機２を構成する各機器について説明する（図１、図２参照）。
室内熱交換器１２は、冷媒と室内の空気との間で熱交換を行う。
室内送風機１３は、室内熱交換器１２に対して、室内空気を供給するとともに、室内熱交換器１２を通過した室内空気を室内に循環させる。
室内膨張弁１４は、液冷媒を断熱膨張させ、気化させる絞り弁である。また、室内膨張弁１４は、その絞り量を変化させることにより室内熱交換器１２を流れる冷媒の流量を変化させることが可能である。
【００１４】
なお、本実施形態の室内機２は、図３に示すように、部屋の床面Ｆ上に設置される床置き型の室内機である。室内機２は、その下部に配置された吸込口１５から室内空気を吸い込む。そして、室内機２内部の室内熱交換器１２で、冷媒と吸い込んだ室内空気との間で熱交換を行い、室内機２の上部に配置された吹出口１６から温度調節された空気を吹き出す。
【００１５】
次に、制御装置３０を構成する各機器について説明する（図２〜図４参照）。
まず、操作リモコン４０は、使用者が空気調和機Ｓを操作するための構成で、室内機２の正面中央に設置されている（図３参照）。また、操作リモコン４０は、スピーカ４１、表示パネル４２、複数のボタンスイッチ４３、十字キー４４を備えている（図４参照）。
なお、操作リモコン４０は、室内機２とは別体にして、室内機２から離れた位置で操作する構成とすることも可能である。
【００１６】
スピーカ４１は、操作リモコン４０内部の外部からは見えない部位に配置されている。また、スピーカ４１は、リモコン操作時の操作音、および音声案内等の音、音声を発する。
表示パネル４２は、運転中の運転内容を画面表示したり、タイマーの設定、および表示言語等を設定する際の選択画面を表示したりする。
ボタンスイッチ４３は、起動・停止スイッチ４３ａ、メニュースイッチ４３ｂ等を備えている。
起動・停止スイッチ４３ａ（起動操作部）は、通常の空調運転時に押操作によって、空気調和機Ｓの起動・停止操作を行う。
【００１７】
メニュースイッチ４３ｂは、登録されている複数の設定項目（タイマーの設定、表示言語等）について、押操作を繰返すことで、表示パネル４２の表示内容を切り替える。
十字キー４４は、メニュースイッチ４３ｂで切り替えられた表示パネル４２内のカーソルを移動させ、使用者が希望する設定を選択する。
なお、本実施形態の操作リモコン４０には、図４に示すように、ボタンスイッチ４３として、戻る／ガイドスイッチ４３ｃ、節電スイッチ４３ｄが設けられているが、これらのスイッチに設定された機能についての詳細な説明は省略する。
【００１８】
次に、漏洩警報装置５０について説明する（図２、図４参照）。
漏洩警報装置５０は、冷媒センサ５１（漏洩検知手段）、漏洩報知手段５２、報知停止手段５３を備えている。
冷媒センサ５１（漏洩検知手段）は、室内機２から漏洩した冷媒を検知するための構成である。冷媒センサ５１は、室内機２内部における冷媒配管３よりも下方の床面近傍に配置されている。
本実施形態の空気調和機Ｓに使用されている冷媒は、空気よりも重く、室内機２から漏洩した場合には、床近傍に溜まる。そこで、冷媒センサ５１は、冷媒配管３より下方の床面近傍に設置されている。したがって、冷媒が空気よりも軽い場合には、部屋の天井付近に冷媒センサ５１を設置することが望ましい。
【００１９】
次に、漏洩報知手段５２について説明する。
漏洩報知手段５２は、操作リモコン４０と一体に構成されており、表示部５２ａ、および音発信部５２ｂを備えている。
表示部５２ａは、操作リモコン４０の表示パネル４２を兼用しており、冷媒が漏洩したことを文言の表示、点滅、発する色の変化等の表示警報で視覚に訴えて、使用者に知らせる。
なお、冷媒漏洩時には、表示パネル４２の表示内容が、冷媒漏洩を知らせる内容に強制的に切り替わる。
また、表示部５２ａは、冷媒が漏洩したことを知らせる文言を表示する際に、後述する音警報の停止方法、および冷媒漏洩時の禁止事項を合わせて表示（報知）する。
【００２０】
音発信部５２ｂは、操作リモコン４０に内蔵されるスピーカ４１を兼用しており、冷媒が漏洩したことを警報音や警告音声等の音警報で聴覚に訴えて、使用者に知らせる。
報知停止手段５３は、操作リモコン４０の起動・停止スイッチ４３ａ（起動操作部）を兼用している。冷媒漏洩警報時には、使用者が起動・停止スイッチ４３ａを押操作することによって、空気調和機Ｓが起動・停止せずに、音警報が停止する。
【００２１】
制御手段６０は、ＥＣＵ（Electronic Control Unit：電子式制御ユニット）を備えている。また、制御手段６０は、冷媒センサ５１（漏洩検知手段）が冷媒漏洩を検知した際に、運転メニューに設定されている通常の空調運転（暖房運転、冷房運転、ドライ運転等）から拡散送風運転へ強制的に切り替える。
なお、拡散送風運転は、配管から漏洩し、空気よりも重くて床面上に滞留する冷媒を拡散させて、漏洩した冷媒の濃度を薄めるために行う送風運転である。
拡散送風運転は、室外機１では、強制的に圧縮機６を停止して、通常の空調運転を中断し、冷媒の漏洩を極力低減するとともに、室内機２では、風向を床面に向けて、所定値以上の風量、風速で送風する。
【００２２】
さらに、拡散送風運転では、制御手段６０が、漏洩報知手段５２へ報知指令を出すとともに、起動・停止スイッチ４３ａを報知停止手段５３に切り替える。
そして、使用者によって報知停止手段５３が押操作された場合、制御手段６０は、音発信部５２ｂに対して、警報音や警告音声等の音警報を中断させる。
なお、表示部５２ａに表示された文言、表示パネル４２の点滅、色の変化等は継続する。
【００２３】
＜空気調和機の働き＞
次に、室内に冷風が供給される冷房運転を行う際の空気調和機Ｓの働きについて説明する。
図２における実線の矢印が、冷房運転時における冷媒の流れを示し、四方弁７は、実線で示すように切り替わる。
圧縮機６で圧縮され、高温高圧となったガス冷媒は、四方弁７を経由して、室外熱交換器８に流入する。
室外熱交換器８に流入したガス冷媒は、室外熱交換器８内を通過する間に、室外送風機１０によって供給される外気に放熱して凝縮し、低温高圧の液冷媒となる。
【００２４】
ガス冷媒から凝縮した液冷媒は、室外膨張弁９を経由して、室内機２へ送られる。なお、このとき、室外膨張弁９は、膨張弁としては機能しないため、冷媒は断熱膨張せずに、液冷媒のまま通過する。
室内機２に流入した液冷媒は、室内膨張弁１４で断熱膨張しつつ、室内熱交換器１２に流入する。
液冷媒は、断熱膨張する際に、室内送風機１３によって供給される室内空気から蒸発潜熱を奪って気化し、低温低圧のガス冷媒となる。
そして、蒸発潜熱を奪われた室内空気は、相対的に冷却されたことになり、冷風が室内に送風される。
【００２５】
液冷媒から気化したガス冷媒は、室外機１に送られる。
室外機１に戻ったガス冷媒は、四方弁７を通過して、アキュムレータ５に流入する。
アキュムレータ５に流入したガス冷媒は、混在する液冷媒がアキュムレータ５で分離され、所定の乾き度に調整されて、圧縮機６へ供給され、再度圧縮される。
以上のように、冷凍サイクルを実線の矢印の方向へ冷媒が循環することで、室内に冷風を供給する冷房運転が実現する。
【００２６】
次に、室内に温風が供給される暖房運転を行う際の空気調和機Ｓの働きについて説明する。
図２における点線の矢印が、暖房運転時における冷媒の流れを示し、四方弁７は、点線で示すように切り替わる。
圧縮機６で圧縮された高温高圧のガス冷媒は、四方弁７を経由して、室内機２に流入する。
室内熱交換器１２に流入したガス冷媒は、室内熱交換器１２内を通過する間に、室内送風機１３によって供給される室内空気に放熱して凝縮し、低温高圧の液冷媒となる。
そして、受熱した室内空気は、相対的に加熱されたことになり、温風が室内に送風される。
【００２７】
ガス冷媒から凝縮した液冷媒は、室内膨張弁１４を通過して、室外機１へ送られる。なお、このとき、室内膨張弁１４は、膨張弁としては機能しないため、冷媒は断熱膨張せずに、液冷媒のまま通過する。
室外機１に流入した液冷媒は、室外膨張弁９で断熱膨張しつつ、室外熱交換器８に流入する。
液冷媒は、断熱膨張する際に、室外送風機１０によって供給される外気から蒸発潜熱を奪って気化し、低温低圧のガス冷媒となる。
【００２８】
液冷媒から気化し、室外熱交換器８から流出したガス冷媒は、四方弁７を通過して、アキュムレータ５に流入する。
アキュムレータ５に流入したガス冷媒は、混在する液冷媒がアキュムレータ５で分離され、所定の乾き度に調整されて、圧縮機６へ供給され、再度圧縮される。
以上のように、冷凍サイクルを点線の矢印の方向へ冷媒が循環することで、室内に温風を供給する暖房運転が実現する。
【００２９】
次に、漏洩警報装置５０の働きについて説明する。
冷媒センサ５１は、空気調和機Ｓが空調運転中であるか否かを問わず、常時計測している。そして、冷媒配管から冷媒が漏洩すると、冷媒センサ５１が検知する。
制御手段６０は、冷媒センサ５１による冷媒検知（冷媒の漏洩）を受けて、拡散送風運転を開始する。
なお、通常の空調運転中（暖房運転、冷房運転、ドライ運転等）に冷媒の漏洩を検知した場合には、空調運転を中止して、拡散送風運転を開始する。また、空調運転停止中に冷媒の漏洩を検知した場合には、そのまま拡散送風運転を開始する。
【００３０】
次に、制御手段６０は、漏洩報知手段５２に対して、漏洩の報知を指示する。
漏洩報知手段５２は、操作リモコン４０の表示パネル４２の表示を、通常の空調運転時の運転内容を表示する図４から、冷媒の漏洩を検知したことを表示する図５へ冷媒の漏洩を知らせる内容に切り替える。
また、漏洩報知手段５２は、操作リモコン４０のスピーカ４１（音発信部）から警報音、および警報音声等の音警報を流す。
警報に気付いた使用者は、表示パネル４２の表示に従って起動・停止スイッチ４３ａ（報知停止手段）を押操作する。
【００３１】
制御手段６０は、使用者による起動・停止スイッチ４３ａ（報知停止手段）の押操作を受けて、警報の中断を指示する。
漏洩報知手段５２は、スピーカ４１から発せられる音警報を止める。
つまり、起動・停止スイッチ４３ａの押操作で音警報が止まる。
【００３２】
なお、表示部５２ａによる文言の表示や点滅、色の変化等、および拡散送風運転は継続する。
また、漏洩報知手段５２は、音警報を止める際に、表示パネル４２の点滅や、発する色の変化等を併せて中止し、表示パネル４２による、警告する内容の文言表示のみを継続する設定としても良い。
さらに、漏洩報知手段５２は、音警報を止めたタイミングで、表示パネル４２の表示を修理窓口の連絡先に切換える設定としても良い。
たとえば、図６に示すように、修理窓口の電話番号を表示し、使用者に対して、修理の依頼を促す。
【００３３】
使用者が、表示パネル４２に表示された指示に従って、修理を依頼すると、修理作業者が到着する。
修理作業者は、操作リモコンを操作して、漏洩警報装置５０を停止し、空気調和機Ｓを修理する。修理作業者は、漏洩警報装置５０を停止する際に、取扱説明書等に記載されておらず、使用者に周知されていない操作手順に従って、操作リモコンを操作する。
【００３４】
なお、使用者に周知されていない操作手順は、通常の空調運転時には行われることのない操作パターンで構成されている。
このような操作パターンの一例として、操作リモコン４０上の２つのボタンスイッチ４３を同時に長押しする等の組み合わせ操作が挙げられる。
また、操作パターンの別の例として、十字キー４４に対する「上」２回、「右」１回、「下」２回、「左」１回の押操作後に起動・停止スイッチ４３ａを押操作する等の連続操作が挙げられる。
さらに、室内機２内部における、通常は使用者の目に触れることのない箇所に設置された警報解除スイッチを操作することで、漏洩警報装置５０を停止する操作パターンとすることも可能である。
【００３５】
次に、第１実施形態の構成による作用効果を説明する。
本実施形態では、報知停止手段５３（起動・停止スイッチ４３ａ）を操作することによって、漏洩報知手段５２（スピーカ４１）による報知（音警報）を停止する手法を採用している。
これによって、報知（音警報）を止めるために、使用者が空気調和機Ｓの電源、およびブレーカ（図示せず）を切って、拡散送風運転を止めてしまうことを防止することができる。
【００３６】
また、報知停止手段５３を備えることで、使用者が報知（音警報）を止めるために、様々な操作を試みることなく（試行錯誤することなく）、報知（音警報）を止めることができる。
これによって、使用者が報知（音警報）を不快に感じる時間を短縮し、不快感を軽減することができる。
【００３７】
本実施形態では、表示部５２ａによる表示警報と、音発信部５２ｂによる音警報とによって、冷媒漏洩を報知している。
そして、報知停止手段５３を操作することで、音警報のみを止めている。
これによって、使用者の不快感を軽減しつつ、冷媒が漏洩中であることを報知し続けることができる。
【００３８】
本実施形態では、修理作業者は、漏洩警報装置５０を停止する際に、取扱説明書等に記載されておらず、使用者に周知されていない操作手順に従って、操作リモコンを操作している。
これによって、使用者が音警報を止めようとして、誤って漏洩警報装置５０を停止してしまい、拡散送風運転が止まってしまうことを防止することができる。
【００３９】
本実施形態では、報知停止手段５３が、通常の空調運転時における起動操作部（起動・停止スイッチ４３ａ）に設定されている。つまり、起動操作部（起動・停止スイッチ４３ａ）が、報知停止手段５３を兼ねている。
このような構成とすることで、冷媒漏洩時には、起動・停止スイッチ４３ａに報知停止機能を設定（付与）し、通常運転時に起動操作部に設定されていた起動・停止機能を強制的に停止することができる。
また、表示部５２ａの表示警報を確認せずに、空気調和機Ｓの運転を停止して、音警報を止めようとする、感覚的の行動するような使用者に対して好適である。
【００４０】
さらに、通常運転時に起動操作部に設定されていた起動・停止機能を強制的に停止することで、使用者が拡散送風運転を止めてしまうことを防止することができる。
これに対して、たとえば、報知停止手段５３を起動・停止スイッチ４３ａ以外の操作部に設定した場合には、音警報を止めた後でも、起動・停止スイッチ４３ａを操作して、拡散送風運転を停止することができてしまう。
【００４１】
なお、本実施形態では、修理作業者が到着するまで拡散送風運転は継続されるように設定されている。
しかしながら、冷媒濃度が低下した段階で、拡散送風運転を一旦停止し、漏洩した冷媒濃度が再度高まった場合に、改めて拡散送風運転を行う設定としても良い。このような設定は、使用者が警報を受けて窓、および扉等を開け放ち、漏洩冷媒が戸外へ拡散される場面に好適である。
【００４２】
＜第２実施形態＞
次に、空気調和機Ｓの第２実施形態について、図面を参照しながら説明する。前述の空気調和機Ｓと同様の構成には同一の符号を付し、重複する説明を省略する。
図７に示すように、前述の第１実施形態と大きく異なる構成は、操作リモコン４０Ａの構成である。
【００４３】
本実施形態の操作リモコン４０Ａは、スピーカ４１とタッチパネル４５（漏洩報知手段５２、報知停止手段５３）とを備えている。
スピーカ４１は、第１実施形態と同様に構成され、リモコン操作時の操作音、および音声案内等の音、音声を発するとともに、漏洩警報装置５０の音発信部５２ｂとして、音警報を発する。
タッチパネル４５は、第１実施形態の操作リモコン４０における表示パネル４２とボタンスイッチ４３との機能を兼ね備えている。
【００４４】
タッチパネル４５は、表示パネル４２として、運転中の運転内容を画面表示したり、タイマーの設定、および表示言語等を設定する際の選択画面を表示したりする。また、タッチパネル４５は、漏洩報知手段５２の表示部５２ａとして、冷媒が漏洩したことを文言の表示、点滅、発する色の変化等の表示警報で視覚に訴えて、使用者に知らせる。
さらに、タッチパネル４５は、報知停止手段５３として、使用者が画面に表示されたアイコンに触れることで、ボタンスイッチ４３の押操作を行うことの代わりとして機能する。
アイコンは、表示パネル４２の画面上に表示された図形、および記号で構成されている。
【００４５】
次に、漏洩警報装置５０の働きについて説明する。
冷媒センサ５１が冷媒の漏洩を検知し、操作リモコン４０Ａのスピーカ４１から音警報を発するまでの流れは、前述の第１実施形態と同様である。
また、操作リモコン４０Ａのタッチパネル４５は、冷媒漏洩を報知する画面に切り替わるとともに「音警報中断アイコン」（報知停止手段）が表示される。
警報に気付いた使用者は、タッチパネル４５の表示に従って「音警報中断アイコン」に触れる。
【００４６】
制御手段６０は、使用者が「音警報中断アイコン」（報知停止手段）に触れたことを受けて、警報の中断を指示する。
漏洩報知手段５２は、スピーカ４１から発せられる音警報を止める。
使用者が、タッチパネル４５に表示された指示に従って、修理を依頼すると、修理作業者が到着し、修理作業者は第１実施形態と同様の手順で修理を行う。
【００４７】
次に、第２実施形態の構成による作用効果を説明する。
本実施形態の操作リモコン４０Ａには、タッチパネル４５が採用されている。そして、報知停止手段５３として、画面上に表示された「音警報中断アイコン」に触れることで、音警報を止めることができる。
このため、使用者は、取扱説明書等を確認せずに、非常時の操作手順を直感的に理解することができる。
これによって、使用者は速やかに音警報を止めることができるため、使用者が報知（音警報）を不快に感じる時間を短縮し、不快感を軽減することができる。
【００４８】
なお、使用者による操作を禁止したい機能については、該当するアイコンをタッチパネル４５画面上に表示しなければよい。
つまり、拡散送風運転中は、「起動・停止アイコン」、および「漏洩警報装置停止アイコン」を画面上に表示しないことで、使用者が誤って拡散送風運転を止めてしまうことを防止することができる。
【符号の説明】
【００４９】
Ｓ  空気調和機
２  室内機
３  冷媒配管
４４ａ  起動・停止スイッチ（報知停止手段）
４５  タッチパネル（報知停止手段）
５１  冷媒センサ（漏洩検知手段）
５２  漏洩報知手段
５２ａ  表示部
５２ｂ  音発信部
５３  報知停止手段
【図１】
2019150462.tif 000003
【図２】
2019150462.tif 000004
【図３】
2019150462.tif 000005
【図４】
2019150462.tif 000006
【図５】
2019150462.tif 000007
【図６】
2019150462.tif 000008
【図７】
2019150462.tif 000009
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
室内機からの冷媒漏洩を検知する漏洩検知手段と、
冷媒漏洩を報知する漏洩報知手段と、
該漏洩報知手段による報知を停止させるとともに、使用者には周知されない操作手順によって前記漏洩報知手段を停止する報知停止手段と、
を具備した漏洩警報装置を備える
ことを特徴とする空気調和機。
【請求項２】
室内機からの冷媒漏洩を検知する漏洩検知手段と、
冷媒漏洩を報知する漏洩報知手段であって、使用者の視覚に訴える表示部と、使用者の聴覚に訴える音発信部とを備える漏洩報知手段と、
該漏洩報知手段による報知を停止させるとともに、前記音発信部による報知を停止する報知停止手段と、
を具備した漏洩警報装置を備える空気調和機であって、
前記報知停止手段は、通常の空調運転時における起動操作部であり、
該起動操作部は、
通常の空調運転時には、前記空気調和機の起動・停止を行い、
前記漏洩報知手段による冷媒漏洩報知中には、前記空気調和機の起動・停止は行わずに、前記音発信部が発する報知を停止する
ことを特徴とする空気調和機。
【請求項３】
前記報知停止手段は、
具備するタッチパネルに表示されるアイコンである
ことを特徴とする請求項１又は２に記載の空気調和機。
【請求項４】
前記漏洩報知手段は、
冷媒漏洩を報知しつつ、冷媒漏洩の報知を停止する方法を報知する
ことを特徴とする請求項１又は２に記載の空気調和機。
【手続補正２】
【補正対象書類名】明細書
【補正対象項目名】０００６
【補正方法】変更
【補正の内容】
【０００６】
前記の目的を達成するために、本発明に係る空気調和機は、室内機からの冷媒漏洩を検知する漏洩検知手段と、冷媒漏洩を報知する漏洩報知手段と、該漏洩報知手段による報知を停止させる報知停止手段と、を具備した漏洩警報装置を備え、前記報知停止手段は、使用者には周知されない操作手順によって前記漏洩報知手段を停止することを特徴とする。その他の解決手段は発明を実施するための形態において後記する。
【手続補正３】
【補正対象書類名】要約書
【補正対象項目名】全文
【補正方法】変更
【補正の内容】
【要約】
本発明に関わる空気調和機（Ｓ）では、室外機（１）と、室内機（２）とは、冷媒配管（３）によって接続され、冷凍サイクル（ＲＣ）が形成されている。冷媒配管（３）には、熱媒体としての冷媒が封入されており、冷媒は、冷媒配管（３）を通じて、室外機（１）と室内機（２）との間を循環する。また、空気調和機（Ｓ）は、室内機（２）からの冷媒漏洩を検知する漏洩検知手段としての冷媒センサ（５１）と、冷媒漏洩を使用者に報知する漏洩報知手段（５２）としての表示部（５２ａ）、および音発信部（５２ｂ）と、漏洩報知手段（５２）による報知を停止させる報知停止手段（５３）としての起動・停止スイッチ（４４ａ）と、を備え、報知停止手段（５３）は、使用者には周知されない操作手順によって漏洩報知手段（５２）を停止する。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
室内機を備える空気調和機であって、
前記室内機からの冷媒漏洩を検知する漏洩検知手段と、
使用者の視覚に訴える表示部と使用者の聴覚に訴える音発信部とを有し、冷媒漏洩を報知する漏洩報知手段と、
通常の空調運転時に前記空調運転の起動・停止操作を行う起動操作部を有する操作リモコンと、
前記音発信部による報知を停止するとともに、前記空気調和機の取扱説明書に記載されていない前記操作リモコンの操作によって前記表示部による報知を停止する報知停止手段とを備え、
前記起動操作部は、前記漏洩報知手段の動作中は前記空調運転の起動・停止機能が停止するとともに、前記音発信部による報知の前記報知停止手段として機能する
ことを特徴とする空気調和機。
【請求項２】
室内機からの冷媒漏洩を検知する漏洩検知手段と、
冷媒漏洩を報知する漏洩報知手段であって、使用者の聴覚に訴える音発信部を備える漏洩報知手段と、
前記音発信部による報知を停止する報知停止手段と、
通常の空調運転時に前記空調運転の起動・停止操作を行う起動操作部とを備え、
前記起動操作部は、前記漏洩報知手段の動作中は前記空調運転の起動・停止機能が停止するとともに、前記報知停止手段として機能する
ことを特徴とする空気調和機。
【請求項３】
前記漏洩報知手段は、
使用者の視覚に訴える前記報知を行う表示部を備え、
冷媒漏洩を前記表示部により報知しつつ、前記音発信部による前記報知を停止する方法を前記表示部に表示する
ことを特徴とする請求項２に記載の空気調和機。
【請求項４】
前記報知停止手段は、前記表示部として具備されるタッチパネルである
ことを特徴とする請求項１又は３に記載の空気調和機。
【手続補正２】
【補正対象書類名】明細書
【補正対象項目名】０００６
【補正方法】変更
【補正の内容】
【０００６】
前記の目的を達成するために、本発明に係る空気調和機は、室内機を備える空気調和機であって、前記室内機からの冷媒漏洩を検知する漏洩検知手段と、使用者の視覚に訴える表示部と使用者の聴覚に訴える音発信部とを有し、冷媒漏洩を報知する漏洩報知手段と、通常の空調運転時に前記空調運転の起動・停止操作を行う起動操作部を有する操作リモコンと、前記音発信部による報知を停止するとともに、前記空気調和機の取扱説明書に記載されていない前記操作リモコンの操作によって前記表示部による報知を停止する報知停止手段とを備え、前記起動操作部は、前記漏洩報知手段の動作中は前記空調運転の起動・停止機能が停止するとともに、前記音発信部による報知の前記報知停止手段として機能する。その他の解決手段は発明を実施するための形態において後記する。
【国際調査報告】
2019150462.tif 000010
2019150462.tif 000011
2019150462.tif 000012
2019150462.tif 000013